(57)【特許請求の範囲】
【請求項１】
足指間に挿入されるマッサージ帯体と、
前記マッサージ帯体が出し入れ自在に収納される収納容器と、
前記収納容器の外表面に形成される指圧用突起部と、
前記収納容器内に前記マッサージ帯体を、その付勢力によって該収納容器内に巻回収納される手段を備える
ことを特徴とする足指マッサージ具。
【請求項２】
前記マッサージ帯体の端部に、該マッサージ帯体を前記収納容器より出し入れ自在とされるための操作紐部が接続される
ことを特徴とする請求項１記載の足指マッサージ具。
【請求項３】
前記マッサージ帯体が平ゴムバンドにより形成される
ことを特徴とする請求項１または２記載の足指マッサージ具。
【請求項４】
前記収納容器に、複数の収納容器を互いに連結自在とされる連結手段を備える
ことを特徴とする請求項１、２または３記載の足指マッサージ具。
【発明の詳細な説明】
【技術分野】
【０００１】
本発明は、足指マッサージ具に関する。詳しくは足指間を摩擦によりリラックス効果を得ることができる足指マッサージ具に係るものである。
【背景技術】
【０００２】
足裏に関するマッサージ機器は多く開発されており、特にボールやローラーを介する押圧方式のものが一般的であるが、指、特に足指を対象にしたマッサージ具は非常に少ない。
例えば、図６に示すような足指マッサージ機が提案されている。このマッサージ機は、足裏を載せる足裏置き部１０１と、足裏置き部１０１に載せた足の指を嵌めて保持する足指保持部１０２と、足指保持部１０２に連繋され足裏保持部１０２を少なくとも上下方向に揺動させる揺動駆動手段１０３を具えている。足指保持部１０２が上下に揺動すると、足指保持部１０２に保持された足指は強制的に上下に動かされることで足指にマッサージ効果を得ることができる構成とされる（特許文献１参照。）。
【０００３】
また、図７に示すような足指マッサージ及び指伸ばし装置も提案されている。この装置は、足指を上下に配したローラー１０４の間に出し入れして足指マサージ及び足伸ばしするモーラーモジュール１０５、足の前後動作の案内も兼ね、ボールによる足裏押圧のボールモジュール１０６などから構成される（特許文献２参照。）。
【０００４】
【特許文献１】特開２００４−３１３４３８号公報（要約書、第1図）
【０００５】
【特許文献２】特開２００２−１１９５６３号公報（要約書、第１図）
【発明の開示】
【発明が解決しようとする課題】
【０００６】
しかしながら特許文献１におけるマッサージ機は、足指を強制的に上下に動かすことで足指のマッサージを行うものであり、また、特許文献２におけるマッサージ機は、足指を上下に配置されるローラーによって挟んで足指を押し伸ばすようにしてマッサージを行うものであるが、いずれも足裏を載せる基台を必要とするとともに、床面等に置いた状態での使用となり、寝転んだ状態での使用や仕事先や出張先のホテルなどへの携行に無理が生じる。
【０００７】
また、指と指との間、所謂指又部分の皮膚は非常にデリケートであり、布などで擦ることで皮膚に刺激を与えることでリラクゼーション効果を得ることができる判明している。しかし指又部分をタオルなどによって擦るには体を屈みながらしなければならず自分で行うには難がある。いっぽう、特に足の指又のマッサージを行う器具が現在において提案されていないのが現状である。
【０００８】
本発明は、以上の点に鑑みて創案されたものであって携帯が可能であり、かつ自由なスタイルに応じて指又のマッサージを行うことができる足指マッサージ具を提供することを目的とする。
【課題を解決するための手段】
【０００９】
上記の目的を達成するために、本発明に係る足指マッサージ具は、足指間に挿入されるマッサージ帯体と、前記マッサージ帯体が出し入れ自在に収納される収納容器と、前記収納容器内に前記マッサージ帯体を、付勢力によって該収納容器内に巻回収納される手段を備える。
【００１０】
ここで、マッサージ帯体を足の指間に挿入して収納容器からの出し入れを繰り返すことにより、足指の内側の皮膚の部分をマッサージ帯体によって擦ることにより、これにより血行が促進されリラックス効果を高めることができる。
【００１１】
また、マッサージ帯体の端部に、該マッサージ帯体を前記収納容器より出し入れ自在とされるための操作紐部が接続されることにより、椅子に座った状態、あるいは寝転んだ状態で操作紐部を引いたり、戻したりの操作を行うことでマッサージ帯体によるマッサージが可能となる。
【００１２】
また、マッサージ帯体が平ゴムバンドにより形成されることにより、足指間を摩擦する際に適度な刺激と摩擦抵抗によってより一層のマッサージ効果を得ることが可能となる。
【００１３】
さらに、前記収納容器の外表面に指圧用突起部が形成されることにより、足の裏を複数の指圧用突起部で押圧することで指圧効果を得ることが可能となる。
【００１４】
また、収納容器に、複数の収納容器を互いに連結自在とされる連結手段を備えることにより、複数の足指マッサージ具を互いに連結して足の指間の全てを同時にマッサージすることが可能となる。
【発明の効果】
【００１５】
本発明の足指マッサージ具によれば、足指の内側の皮膚の薄い箇所をマッサージ帯体の往復運動によって常に擦ることによる心地良い刺激によりリラクゼーション効果を得ることができる。
【００１６】
また、マッサージ帯体によるマッサージ効果と共に、足指マッサージ具を軽く踏むことで指圧用突起部によって足指の付け根付近が押圧されることで青竹踏みと同じ効果を得ることが可能となる。
【００１７】
また、どこにでも持ち運びができる大きさであるので、仕事先、旅行先、あるいは自宅において椅子に腰掛けた状態、布団に横になった状態、あるいは浴槽内でのマッサージを行うことが可能となる。
【発明を実施するための最良の形態】
【００１８】
以下、本発明の実施の形態を図面を参酌しながら説明し、本発明の理解に供する。
図１に、本発明を適用した足指マッサージ具の一例を示すための斜視図、図２に、本発明を適用した足指マッサージ具の内部機構を示す説明図である。
【００１９】
ここで示す足指マッサージ具１は、指と指との間に挿入し、指股および指の内面を摩擦するマッサージ帯体２と、このマッサージ帯体２が収納される収納容器３と、マッサージ帯体２を収納容器３から引き出すためにマッサージ帯体２の端部に連結される操作紐部４とから構成されるものである。
【００２０】
そこで収納容器３は、足の指裏に違和感が無く、密接するように足の指裏に接する周囲が曲面形状に形成されている。この収納容器３の空間内には丸ゴム紐、あるいは引張コイルバネ（本実施例では丸ゴム紐とする。）により環状に形成されるマッサージ帯体巻回バンド６が一回捩った状態で横架される。
【００２１】
そしてマッサージ帯体巻回バンド６を捩った状態でマッサージ帯体２の基端が結着された状態で巻回される。したがって捩られた状態のマッサージ帯体巻回バンド６には元に戻ろうとする付勢力が働き、この不勢力によってマッサージ帯体２が巻回した状態で維持されると共に、マッサージ帯体２の先端が収納容器３に開口される出入口７より外部に挿出される
【００２２】
ここでマッサージ帯体２としては、足指間の皮膚部分に刺激を与えるために、表面が布地で細かな筋が形成されことで足指間を摩擦する際に適度な刺激と摩擦抵抗を有する平ゴムバンドを使用することが望ましい。
【００２３】
そしてマッサージ帯体２の先端には身体を伸ばした状態でマッサージ帯体２の出し入れが行える長さの操作紐部４が接続されるものである。また、収納容器３の出入口７周辺の曲面には複数の指圧用突起部８が突設される。これにより足指との間にマッサージ帯体２を挟むようにしてマッサージ帯体２を引っ張ることによって複数の指圧用突起部８によって指裏の皮膚面が押圧されることになる。
【００２４】
次に、図３（イ）（ロ）にマッサージ帯体巻回バンドの他の例を示すものであり、図３（イ）に示すのは、板バネ９がＵ字形状に湾曲され、その湾曲された板バネ９の開放端間に２本の糸１０が張設される。そして糸１０に、マッサージ帯体２の基端が結着された状態で巻回されるものである。これにより、マッサージ帯体２を引き伸ばすことにより、２本の糸１０が強制的に捩られるが板バネ９の付勢力によってねじれが戻されることでマッサージ帯体２の巻戻しが可能とされる。
【００２５】
また、図３（ロ）に示すのは、収納容器３内に２本の引張コイルバネ１４が張設され、この２本の引張コイルバネ１４に円柱状の巻取り部１１を挿通させてマッサージ帯体２の基端が連結された状態で巻取り部１１に巻回される。これにより、マッサージ帯体２を引き伸ばすことにより、巻取り部１１が回転することで２本の引張コイルバネ１４が強制的に捩られる。そこで、２本の引張コイルバネ１４による張力によってねじれが戻される方向への付勢力が生じてマッサージ帯体２の巻戻しが可能とされる。
【００２６】
なお、本実施例ではマッサージ帯体２に平ゴムバンドを使用するものであるが、必ずしも平ゴムバンドである必要性は無く、足指間を摩擦するものであればゴムの入っていない布テープやビニールテープなどいかなる素材であっても構わないが、摩擦および伸縮による刺激性に優れた平ゴムバンドを使用することが望ましい。
【００２７】
また、例えば複数の指間を同時に足指マッサージ具によってマッサージを行う場合には図４に示すように、収納容器３の両側面に連結用雄部１２および連結用雌部１３をそれぞれ設けることにより、互いの収納容器３の連結用雄部１２および連結用雌部１３を嵌め合わせることにより連結自在な構成とされるものである。
【００２８】
これにより、複数の収納容器３が互いに連結し、それぞれの足指マッサージ具１のマッサージ帯体２を足指間に挿通する。そして各々のマッサージ帯体２の先端に連結される操作紐部４を手の指間で挟んだ状態で引く、あるいは戻す動作を繰り返すことによって複数の足指間のマッサージを同時に行うことが可能となる。
【００２９】
以上の構成よりなる本発明の足指マッサージ具では図５に示すように、例えば足Ａの第１指と第２指との間をマッサージする場合には、収納容器３を足Ａの第１指と第２指との間の裏側に位置させ、収納容器３の出入口７より挿出されるマッサージ帯体２を第１指と第２指との間に挟んだ状態でマッサージ帯体２の先端に連結される操作紐部４を手Ｂで掴んで引くことにより収納容器３の出入口７の周辺の曲面に設けられる複数の指圧用突起部８が足指裏の皮膚の薄い箇所に密着して押圧することにより指圧効果を得ることが可能となる。
【００３０】
また、マッサージ帯体２の往復運動によって第１指と第２指との内側面の皮膚の薄い部分が常にマッサージ帯体２の表面によって擦られることになる。この際にマッサージ帯体２表面のザラつきにより第１指と第２指との内側面が心地の良い刺激を受けリラクゼーション効果を高めることができる。
【００３１】
このように操作紐部４を手で引っ張ってマッサージ帯体２の往復運動を行うことができるために、椅子に腰掛けた状態、布団等に横になった状態、浴槽内での使用など如何なる状況での使用が可能となる。
【図面の簡単な説明】
【００３２】
【図１】本発明を適用した足指マッサージ具の一例を示すための斜視図である。
【図２】本発明を適用した足指マッサージ具の内部機構を示す説明図である。
【図３】本発明を適用した足指マッサージ具のマッサージ帯体の巻き取り機構の他の例を示す説明図である。
【図４】本発明を適用した足指マッサージ具の連結機構の一例を示す説明図である。
【図５】本発明を適用した足指マッサージ具の使用状態の示す説明図である。
【図６】特許文献１における足指マッサージ機の説明図である。
【図７】特許文献２における足指マッサージ機の説明図である。
【符号の説明】
【００３３】
１      足指マッサージ具
２      マッサージ帯体
３      収納容器
４      操作紐部
６      マッサージ帯体巻回バンド
７      出入口
８      指圧用突起部
９      板バネ
１０    糸
１１    巻取り部
１２    連結用雄部
１３    連結用雌部
１４    引張コイルバネ
【図１】
0005030756.tif 000002
【図２】
0005030756.tif 000003
【図３】
0005030756.tif 000004
【図４】
0005030756.tif 000005
【図５】
0005030756.tif 000006
【図６】
0005030756.tif 000007
【図７】
0005030756.tif 000008